(57)【要約】【課題】例えば日付印の日付数字変更のため、簡単な操作で、印面が本体から露出した状態を保持することができる等の印判を提供すること。【解決手段】印判１は、外筒１０と、外筒１０に収容され該外筒内でスライド移動可能な内筒２０と、内筒２０に収容され、印面３２を有する印字体３１と、外筒１０及び内筒２０との間のスライド移動に連動して、印面３２を開閉するように適合された開閉蓋４０とを備える。外筒１０には、開閉蓋４０のフォロア軸部４３を案内するためのカム孔部１２ｂが設けられ、内筒２０を縮退させた位置でフォロア軸部４３が係合する溝孔部１２ｃが、カム孔部１２ｂに連設される。フォロア軸部４３が溝孔部１２ｃに係合することにより、開閉蓋４０が全開し、かつ、印面３２が内筒２０から露出した状態が保持される。【選択図】図７
2018167569.tif 000002
【特許請求の範囲】
【請求項１】
捺印時に印面が露出した状態となるように構成された印判であって、
外筒と、
前記外筒に収容され該外筒内でスライド移動可能な内筒と、
前記内筒に収容され、印面を有する印字体と、
前記外筒及び前記内筒との間のスライド移動に連動して、前記印字体の印面を開閉するように適合された開閉蓋とを備え、
前記印面が前記内筒から露出した状態で前記外筒及び前記内筒との間のスライド移動を規制するとともに、前記開閉蓋を全開位置に保持するロック機構を備えたことを特徴とする印判。
【請求項２】
前記外筒及び前記内筒には前記スライド移動に追従して前記開閉蓋のフォロア軸部を案内するためのカム孔部が設けられ、
前記ロック機構が、前記カム孔部に連設された溝孔部であって、前記内筒を前記外筒の中に縮退させた位置で前記フォロア軸部が係合するよう設けられた溝孔部を含む、請求項１に記載の印判。
【請求項３】
前記外筒に設けられた前記溝孔部が、前記カム孔部に対し直角又は鋭角をなして該外筒の周方向に折れ曲がる溝形状を有している、請求項２に記載の印判。
【発明の詳細な説明】
【技術分野】
【０００１】
本発明は、捺印時に印面が本体から露出するように構成された印判に関する。
【背景技術】
【０００２】
従来、筒状の本体内に印字体をスライド可能に収容し、捺印時に印字体の印面が本体から露出するように構成された印判が知られている。例えば、特許文献１に開示された印鑑兼用筆記キャップは、キャップ（１）内に印鑑基体（２）を収容し、キャップ（１）壁に縦に開設したスライド孔（１ｅ）を介して、印鑑基体（２）に一体に設けたクリップ（６）が案内されることにより、印鑑基体（２）がキャップ（１）内でスライドするように構成されている。また、スライド孔（１ｅ）の上端からキャップ（１）の周方向に向かって係止用孔（１ｉ）が連設され、クリップ（６）をこの係止用孔（１ｉ）に引っ掛けることで、印鑑基体（２）の印面をキャップ（１）の上端部から露出した状態を保持することができる。
【先行技術文献】
【特許文献】
【０００３】
【特許文献１】実開昭６０−５８３７２号公報
【発明の概要】
【発明が解決しようとする課題】
【０００４】
この種の印判においては、印面が本体から露出した状態を保持するために、例えば特許文献１のように、クリップを横方向に回動させる等の操作が必要とされ、そのようなロック操作が煩雑であった。
【０００５】
本発明は、例えば日付印の日付数字変更のために、簡単な操作で、印面が本体から露出した状態を保持することができる等の印判を提供することを目的としている。
【課題を解決するための手段】
【０００６】
上述した課題を解決するため、本発明は、捺印時に印面が露出した状態となるように構成された印判であって、外筒と、前記外筒に収容され該外筒内でスライド移動可能な内筒と、前記内筒に収容され、印面を有する印字体と、前記外筒及び前記内筒との間のスライド移動に連動して、前記印字体の印面を開閉するように適合された開閉蓋とを備え、前記印面が前記内筒から露出した状態で前記外筒及び前記内筒との間のスライド移動を規制するとともに、前記開閉蓋を全開位置に保持するロック機構を備えたことを特徴とする。
【０００７】
上記構成の印判において、前記外筒及び前記内筒には前記スライド移動に追従して前記開閉蓋のフォロア軸部を案内するためのカム孔部が設けられ、前記ロック機構が、前記カム孔部に連設された溝孔部であって、前記内筒を前記外筒の中に縮退させた位置で前記フォロア軸部が係合するよう設けられた溝孔部を含むことが好ましい。
【０００８】
また、前記外筒に設けられた前記溝孔部が、前記カム孔部に対し直角又は鋭角をなして該外筒の周方向に折れ曲がる溝形状を有していることが好ましい。
【発明の効果】
【０００９】
本発明に係る印判によれば、簡単な操作で、印面が本体から露出した状態を保持することができる。従って、印判の使用者は、印面を本体から露出させたまま、例えば日付印の日付数字の変更等を容易に行うことができる。
【図面の簡単な説明】
【００１０】
【図１】本発明の一実施形態による印判の正面図である。
【図２】図１に示した印判の側面図である。
【図３】図２に示したIII-III線に沿う印判の断面図である。
【図４】図１に示したIV-IV線に沿う印判の断面図である。
【図５】内筒を縮退させた状態での印判の正面図である。
【図６】図５に示した状態での印判の側面図である。
【図７】内筒及び開閉蓋を同時にロックした状態での印判の側面図である。
【図８】図７に示した状態での印判の斜視図である。
【発明を実施するための形態】
【００１１】
以下、図面を参照して、本発明の好適な実施形態による印判１を説明する。印判１は、円筒状の外筒１０と、同じく円筒状の内筒２０と、外筒１０及び内筒２０との間のスライド移動に連動して開閉するように適合された開閉蓋４０とを備えている。内筒２０の一部（図面では上部）は、外筒１０内でスライド移動可能に収容されている。外筒１０内には、コイルバネ３４が設けられ、コイルバネ３４が内筒２０を突出方向に常時付勢している。
【００１２】
外筒１０は、印判１の本体を構成するとともに、捺印をする際の持ち手部（グリップ）としても機能する部材である。外筒１０の正面部には、開口を有する窓部１１が形成されている。内筒２０を外筒１０の中に最も縮退させると、外筒１０の窓部１１及び後述する内筒２０の窓部２１を介して、日付印の年月日等の日付数字を変更するためのダイヤル６１の操作が可能となる。本実施形態の印判１によれば、後述するように、内筒２０を縮退させ、印面を内筒２０から露出させた状態に、簡単な操作でロックすることができる。印判１の使用者は、印面を内筒２０から露出させたまま、ダイヤル６１を回動操作することで、日付印の日付数字を容易に変更することができる。
【００１３】
また、外筒１０において、内筒２０のスライド移動をロックするためのロック操作部８１を設けてもよい。ロック操作部８１は、例えば窓部１１の上方に設けたスライドスイッチとすることができる。例えば、印判１の不使用時には、スライドスイッチをロック位置にしておくことで、不用意に印面が露出するのを防止することができる。更に、外筒１０の側面部に、日付印の数字を日単位で変更するためのリューズ７１を設けてもよい。
【００１４】
外筒１０の側面部には、内筒２０のスライド移動に追従して、開閉蓋４０のフォロア軸部４３を案内するためのカム孔部１２ａ、１２ｂが設けられている。更に、カム孔部１２ｂの上端には、溝孔部１２ｃが連設されている。例えば図２に示されるように、溝孔部１２ｃは、カム孔部１２ｂの長手に対し直角又は鋭角をなして、外筒１０の周方向にカム孔部１２ｂの上端から折れ曲がる溝形状を有している。つまり、溝孔部１２ｃは、内筒２０を外筒１０の中に最も縮退させた位置で、開閉蓋４０のフォロア軸部４３が係合するよう設けられている。これにより、外筒１０及び内筒２０間のスライド移動をロックするためのロック機構が構成されている（例えば図７参照）。
【００１５】
内筒２０は、下端部２０ａに印面を露出させるための開口を有する概ね円筒状の中空部材からなる。内筒２０の外径は上述した外筒１０の内径に対応しており、内筒２０の上部が外筒１０の下側開放部からスライド移動可能に挿入されている。内筒２０の正面部には、開口を有する窓部２１が形成されている。内筒２０の側面部には、開閉蓋４０のフォロア軸部４３を案内するためのカム孔部２２が設けられている。
【００１６】
開閉蓋４０は、内筒２０に回動可能に取り付けられており、その開閉端部に、トレイ状のインキパッド収容部４１が一体形成されている。インキパッド収容部４１には、インキを含浸させたインキパッド４２が収容される。
【００１７】
なお、インキパッド４２の材料としては、例えば、ポリエチレン（ＰＥ）及びポリプロピレン（ＰＰ）を素材とするポリオレフィン系繊維を用いることができる。インキパッド４２に含浸されるインキは、顔料系、染料系、油性系、水性系を問わず適宜使用可能である。例えば、コート紙、プラスチックフィルム、アルミニウム、鉄等の難吸収紙や非吸収材に捺印するための速乾性インキとしては、速乾性溶剤に着色剤や樹脂等を溶解混合した油性インキを用いることができる。
【００１８】
開閉蓋４０のフォロア軸部４３は、外筒１０に形成されたカム孔部１２ａ又は１２ｂと、内筒２０に形成されたカム孔部２２とが交差する孔部を貫通している。つまり、本実施形態の印判１は、例えば図２に示されるような形状のカム孔部１２ａ又は１２ｂとカム孔部２２とが交差する孔部に、開閉蓋４０のフォロア軸部４３が拘束されたカム機構を備えている。このようなカム機構により、開閉蓋４０は、外筒１０の下動に従って開く側に回動し、逆に外筒１０の上動に従って閉じる側に回動するように構成されている。
【００１９】
印判１は、外筒１０及び内筒２０の内部に、印面３２を有する印字体３１を嵌合保持する印字体ホルダ３０を備えている。例えば、図３及び４の断面図に示されるように、印字体ホルダ３０の上部には円柱部３３が延設されている。そして、円柱部３３の上端部が、外筒１０の天板部１３に接続している。
【００２０】
なお、本実施形態の印字体ホルダ３０には、日付印の年月日に対応する各数字列を刻印したベルトを有する日付数字変更機構が備えられている。各ベルトは、対応するダイヤル６１の軸部に巻回されている。すなわち、ダイヤル６１を回動操作することで、印面３２に表示される年月日の数字の刻印を変更することができる。
【００２１】
本実施形態の印判１において、外筒１０内に圧縮状態で収容されたコイルバネ３４が内筒２０に弾発力を付与することにより、不使用時には、内筒２０が外筒１０から突出した状態となっている。この状態では、開閉蓋４０が内筒２０の下端部２０ａの開口を閉じるとともに、開閉蓋４０のインキパッド収容部４１に収容されているインキパッド４２が、印字体３１の印面３２に対向当接する。これにより、印面３２にインキが供給される。
【００２２】
印判１による捺印においては、図５及び６に示されるように、内筒２０の下端部２０ａを紙面に当て、外筒１０を紙面に向けて押圧することで、外筒１０が下動し、それに連動して開閉蓋４０が外側に開く。外筒１０に更に押圧力を加えると、下降する印字体３１の印面３２が内筒２０の下端部２０ａから露出し、印面３２が紙面に接触することにより、印影が紙面に転写される。
【００２３】
捺印が完了した後、外筒１０の押圧を開放すると、圧縮されたコイルバネ３４の弾発力により、内筒２０が初期の突出位置に戻る。それに連動して開閉蓋４０が内筒２０側に閉じる。
【００２４】
更に、本実施形態による印判１は、印字体３１の印面３２が内筒２０から露出した状態で、開閉蓋４０を全開位置に保持するロック機構を備えている。このロック機構により、例えば図７に示されるように、内筒２０及び開閉蓋４０の動きを同時にロックすることができる。具体的に、このロック機構は、開閉蓋４０のフォロア軸部４３を案内するカム孔部１２ｂの上端に連設された溝孔部１２ｃを含む。内筒２０を外筒１０の中に最も縮退させた位置で、開閉蓋４０を外側に若干回動させることで、簡単にフォロア軸部４３を溝孔部１２ｃに係合させることができる。
【００２５】
また、溝孔部１２ｃは、カム孔部１２ｂの長手に対し直角又は鋭角をなして、外筒１０の周方向にカム孔部１２ｂの上端から折れ曲がる溝形状を有していることが好ましい。この構成によれば、内筒２０に作用するコイルバネ３４の弾発力が、同時にフォロア軸部４３を溝孔部１２ｃの奥に移動させるように作用する。そのため、開閉蓋４０を全開位置に更に確実に保持することができる。
【００２６】
フォロア軸部４３が溝孔部１２ｃに係合すると、開閉蓋４０が全開し、かつ、印面３２が内筒２０から露出した状態に保持することができる。したがって、使用者は、開閉蓋４０及び内筒２０の動きをロックしたまま、例えば印面３２の目視確認や、日付印の印面３２を見ながらでの日付数字の変更、更には印字体３１の交換等の作業を容易に行うことができる。
【００２７】
なお、印判１は、外筒１０の頭部及び内筒２０の下端部２０ａのどちらにも着脱可能なレンズ付きキャップ５０を備えるものでもよい。レンズ付きキャップ５０を外筒１０の頭部に嵌合させれば、使用者は、レンズ５１を透して、拡大された印面表示プレート１５を容易に視認することができる（図３、４参照）。また、印面の目視確認や日付印の日付数字変更に際しては、例えば図８に示されるように、レンズ付きキャップ５０を内筒２０の下端部２０ａに嵌合することができる。これにより、使用者は、レンズ５１を透して、拡大された印面３２を容易に視認することができる。
【符号の説明】
【００２８】
１  印判
１０  外筒
１１  窓部
１２ａ  第一カム孔部
１２ｂ  第二カム孔部
１２ｃ  溝孔部
１３  天板部
１５  印面表示プレート
２０  内筒
２０ａ  下端部
２１  窓部
２２  カム孔部
３０  印字体ホルダ
３１  印字体
３２  印面
３３  円柱部
３４  コイルバネ
４０  開閉蓋
４１  インキパッド収容部
４２  インキパッド
４３  フォロア軸部
５０  レンズ付きキャップ
５１  レンズ
６１  ダイヤル
７１  リューズ
８１  ロック操作部
【図１】
2018167569.tif 000003
【図２】
2018167569.tif 000004
【図３】
2018167569.tif 000005
【図４】
2018167569.tif 000006
【図５】
2018167569.tif 000007
【図６】
2018167569.tif 000008
【図７】
2018167569.tif 000009
【図８】
2018167569.tif 000010